(57)【要約】起立する再閉止自在なパッケージは、上部及び底部シールと、長手方向シールとによって形成される。バックの末端はガゼット折りされて、そのパッケージを起立するための平坦で正方形の面を形成する。別のシールはそのパッケージの一方側部に沿って長手方向に形成されて、該パッケージの側部を形成し、当該パッケージの内部ボリュームを画成している。バックの上部は既存の縦ピロー充填及び包装技術と一致した方式でシールされる。パッケージの上部は再閉止自在造作を有し得る。更に本発明は、パッケージが形成されてシールされると該パッケージに所望内容を充填することを含む、前記再閉止自在起立パッケージを形成する方法を提供する。
2006511400.tif 000002
【特許請求の範囲】
【請求項１】
起立プラスチック製バックであって、
（ａ）対向する前壁及び後壁であり、それぞれの壁が上方縁、下方縁、並びに、長手方向縁を有して、それらの壁が、それらの上部縁にバック開口部を画成することから成る対向する前壁及び後壁と、
（ｂ）前記対向する前壁及び後壁の間に配置された一対のガゼット折りされた側部であり、前記長手方向縁に沿って走って、そのガゼットがそれら側部の下方部に位置決めされていることから成る一対のガゼット折りされた側部と、
（ｃ）前記前壁、前記後壁、並びに、前記側部の下方部に隣接する平坦な底部であり、前記底部、前記前壁、前記後壁、並びに、前記側部が、前記バックが起立バック配向に順応するように構成されることから成る平坦な底部と、
（ｄ）前記前壁、前記後壁、前記側部、並びに、前記底部が前記バックの内部ボリュームを画成することと、
（ｅ）ガゼットが前記バックの上方部に何等必要されないように前記バックの開口部と近接して位置決めされた再閉止自在な装置であって、前記バックの開口部が選択的に開閉され得ることと、
を含む起立プラスチック製バック。
【請求項２】
前記前壁、前記後壁、前記側部、並びに、前記底部が熱可塑性素材の多層フィルムで構成されている、請求項１に記載の起立バック。
【請求項３】
前記底部が連続部で一体的に相互連結された前記前壁及び前記後壁の部分を有して、当該底部の表面下方に延在するシールを形成する、請求項１に記載の起立バック。
【請求項４】
前記前壁及び前記後壁が、その連続部に形成された長尺状シールによって一体的に結合された対向する長手方向縁を有する、請求項１に記載の起立バック。
【請求項５】
前記再閉止自在な装置がジッパー・ロックである、請求項１に記載の起立バック。
【請求項６】
前記再閉止自在な装置がスライダーである、請求項１に記載の起立バック。
【請求項７】
前記再閉止自在な装置がスナップ-ロック機構である、請求項１に記載の起立バック。
【請求項８】
再閉止自在なバックであって、
前壁及び後壁の間に配置された一対のガゼット折りされた側部であり、そのガゼットが当該側部の下方部に位置決めされていることから成る一対のガゼット折りされた側部と、  前記前壁、前記後壁、前記側部の下方部に隣接する平坦な底部であり、前記バックの起立配向のためのベースを画成する平坦な底部と、
ガゼットが前記バックの上方部に何等必要とされないように前記バックの開口部に近接して位置決めされた再閉止自在な装置と、
前記バックが縦ピロー充填システムで形成されることと、
を含む再閉止自在なバック。
【請求項９】
連続部に形成された長尺状シールによって一体的に結合された対向する長手方向縁を有する前壁及び後壁を更に含む、請求項８に記載の再閉止自在なバック。
【請求項１０】
自立再閉止自在パッケージを形成する方法であって、
供給ウェブを提供し、
対向された前壁及び後壁を形成し、各壁が上方縁、下方縁、並びに、長手方向縁を有して、それらの壁が上方縁にパッケージ開口部を画成するように為し、
前記前壁及び前記後壁の間に一対のガゼット折りされた側部を形成し、該ガゼットが前記側部の下方部に位置決めされ、
前記前壁、前記後壁、並びに、前記側部の下方部に隣接して平坦な底部を形成し、前記底部、前記前壁、並びに、前記後壁が、前記側部が、前記パッケージが起立配向に順応するように構成され、前記前壁、前記後壁、前記側部、並びに、前記底部が前記パッケージの内部ボリュームを画成し、
ガゼットが前記パッケージの前記上方部に何等必要とされないように再閉止自在な装置を前記パッケージの開口部に近接して結着し、
品物を包囲するパッケージ・ボディを備える可撓性パッケージが形成されることから成る方法。
【請求項１１】
前記前壁及び前記後壁が連続部で一体的に相互接続された所にベース・シールを形成することを更に含み、前記ベース・シールを形成する際、前記ガゼットが前記側部に形成される、請求項１０に記載の方法。
【請求項１２】
縦ピロー充填システムを用いて前記バックを形成することを更に含む、請求項１０に記載の方法。
【請求項１３】
品物を含有して再閉止自在な開口部を有する製造済み自立パッケージであって、ウェブで製造されたそのパッケージが、
供給ウェブを提供し、
前記供給ウェブで形成された前記パッケージ内に品物を配置する包装機構を提供し、
対向する前壁及び後壁を形成し、各壁が上方縁、下方縁、並びに、長手方向縁を有して、それらの壁が上方縁にパッケージ開口部を画成するように為し、
前記前壁及び前記後壁の間に一対のガゼット折りされた側部を形成し、該ガゼットが前記側部の下方部に位置決めされ、
前記前壁、前記後壁、並びに、前記側部の下方部に隣接して平坦な底部を形成し、前記底部、前記前壁、並びに、前記後壁が、前記側部が、前記パッケージが起立配向に順応するように構成され、前記前壁、前記後壁、前記側部、並びに、前記底部が前記パッケージの内部ボリュームを画成し、
ガゼットが前記パッケージの前記上方部に何等必要とされないように再閉止自在な装置を前記パッケージの開口部に近接して結着し、
前記パッケージの内部ボリュームに品物を充填し、
品物を包囲するパッケージ・ボディを備える可撓性パッケージが形成されることから成る製造済み自立パッケージ。
【請求項１４】
前記包装機構が縦ピロー充填システムである、請求項１３に記載の製造済み自立パッケージ。
【請求項１５】
前記パッケージの前記底部に沿ってシールを形成し、前記前壁及び前記後壁の部分が連続部において相互接続されて、前記底部の表面下方に延在するシールを形成し、
前記前壁及び前記後壁の対向する長手方向縁に沿ってシールを形成し、前記長尺状シールが連続部に形成されて、前記後壁に沿って長手方向に走っている、請求項１３に記載の製造済み自立パッケージ。
【請求項１６】
前記パッケージの前記開口部を覆って前記品物を包囲することを更に含む、請求項１５に記載の製造済み自立パッケージ。
【請求項１７】
起立プラスチック製バックであって、
（ａ）対向する前壁及び後壁であり、それぞれの壁が上方縁、下方縁、並びに、長手方向縁を有して、それらの壁が、それらの上部縁にバック開口部を画成することから成る対向する前壁及び後壁と、
（ｂ）前記対向する前壁及び後壁の間に配置された一対のガゼット折りされた側部であり、前記長手方向縁に沿って走って、そのガゼットがそれら側部の下方部に位置決めされていることから成る一対のガゼット折りされた側部と、
（ｃ）前記前壁、前記後壁、並びに、前記側部の下方部に隣接する平坦な底部であり、前記底部、前記前壁、前記後壁、並びに、前記側部が、前記バックが起立バック配向に順応するように構成されることから成る平坦な底部と、
（ｄ）前記前壁、前記後壁、前記側部、並びに、前記底部が前記バックの内部ボリュームを画成することと、
を含む起立プラスチック製バック。
【請求項１８】
前記底部が連続部で一体的に相互連結された前記前壁及び前記後壁の部分を有して、当該底部の表面下方に延在するシールを形成する、請求項１７に記載の起立バック。
【請求項１９】
自立再閉止自在パッケージを形成する方法であって、
供給ウェブを提供し、
対向された前壁及び後壁を形成し、各壁が上方縁、下方縁、並びに、長手方向縁を有して、それらの壁が上方縁にパッケージ開口部を画成するように為し、
前記前壁及び前記後壁の間に一対のガゼット折りされた側部を形成し、該ガゼットが前記側部の下方部に位置決めされ、
前記前壁、前記後壁、並びに、前記側部の下方部に隣接して平坦な底部を形成し、前記底部、前記前壁、並びに、前記後壁が、前記側部が、前記パッケージが起立配向に順応するように構成され、前記前壁、前記後壁、前記側部、並びに、前記底部が前記パッケージの内部ボリュームを画成し、
前記前壁及び前記後壁が連続部で一体的に相互接続されている所にベース・シールを形成して、前記ガゼットが前記ベース・シールを形成している際に前記側部に形成されるように為し、
品物を包囲するパッケージ・ボディを備える可撓性パッケージが形成されることから成る方法。
【請求項２０】
縦ピロー充填システムを用いて前記バックを形成することを更に含む、請求項１９に記載の方法。
【発明の詳細な説明】
【技術分野】
【０００１】
本発明はプラスチック製容器の製造に関する。より詳細には、本発明は充填された際にそれ自体で起立することができる再閉止自在なバック又は小バックに関する。
【背景技術】
【０００２】
消費者は、乾燥食物に加えて液状食物の充填及び保存の便宜のために起立する再閉止自在なバック／容器を非常に欲している。現行下、数多くの所謂、起立状態、独立状態、或は、自立状態のプラスチック製バックが存在する。当業界で既知であるプラスチック製バックは、該バックの上部開口部或は上部口に沿ってジッパー型閉止装置を組み入れている。更に、その口に沿ってジッパー型閉止装置をも組み入れている自立プラスチック製バックがある。
【０００３】
既存の幾つかの起立バックは、単に、単純底ガゼットだけ或はガゼット構造に付加されたシールによって補助された単純底ガゼットの使用によって、起立能力を提供すべく試みが為されている。その側部がシールされた単純底ガゼットは起立造作や充分な再閉止造作を伴う通常の消費者プラスチック製バックを提供しない。そうしたプラスチック製バックは典型的にはポリエチレンフィルムから形成されているが、しばしばそのバックの容易な再閉止を許容すべくそうしたガゼット底で起立するにはあまりにも不自由である。結果として、典型的に双方ともにバックの中身のまき散らかしとなる、崩れ落ちることなしに或は容易な開口及び再閉止なしに、そのバックを表面上に静止させることは顧客にとって難しい。
【０００４】
他のプラスチック製バックはより厚いフィルムであり、それで単純底ガゼットで起立させることを可能としている。その他の起立バックはその底ガゼットを、単純底ガゼットよりも相当安定したベースに底ガゼットをシールするものである。典型的には、これら平底バックは、そのバックの上部及び底部のシールにガゼットが配置されることを必要とする。上部シールにガゼットを有することはそのバックにより大量の複雑性を追加するものであり、特に再閉止造作もそのバックに組み入れられた場合には特にそうである。詳細には、フィルムから成る多数層がシール内に折り込まれると、通常の再閉止造作（例えばジッパー型）を使用することができない。こうして、バックの組み立て及び製造のプロセスはより複雑となる。結果として、そうしたバックを組み立てるにはより多くの時間が必要となって、より高い製造コストに至る。
【０００５】
更には、先の開示されたバックの全てを充填することそして空にすることには、幾つかの困難性が伴われてきた。これらのバックは空の場合には容易には起立せず、そしてジッパー型閉止具はそれらバックを充填する際そしてそれらバックを空とする際に開口状態を維持することは難しい。費用効果的なガゼット折りされた起立する再閉止自在なバックを提供するために、消費者に彼らの要望を完全に満たすプラスチック製バックを提供する前に追加的な改善が必要とされていることが予想された。これら改善は、充填中及び充填後と共に空の際にバックを誠実に支持するより安定した起立ベースや、そのパッケージの底部のみにガゼットが施されることを許容するようなバックに関係するものでなければならない。また、ガゼット折りされた起立再閉止自在バックを組み立てるより簡素でより少ないコストの方法を求める要望がある。
【発明の開示】
【発明が解決しようとする課題】
【０００６】
発明の簡単な概要
本発明は再閉止自在造作を伴う起立するガゼット折りされたバックを提供すると共に、先に述べた要望を満足するように設計されたそうしたバックを製作する方法を提供する。本発明の目的は、スナック、キャンデー、ペットフード、流体等々の品物を含有することができる単純で安価なバック或は起立小バックを提供することである。
【課題を解決するための手段】
【０００７】
本発明の一実施例において、パッケージは上部及び底部のシールと、長手方向シールとを伴って形成されている。そのパッケージの底部シールは先ずバックの側部を中心に向けて折り込むことによって形成される。それら側部が然るべき場所に保持されている一方で、バックの末端がシールされて（即ち、ガゼット折りされて）、そのパッケージを起立させるために平坦で正方形の表面を形成する。別のシールはパッケージの一方側部に沿って長手方向に形成されて、パッケージの側部を形成し、該パッケージの内部ボリューム（内部容積）を画成している。バックの上部は既存の縦ピロー充填包装技術と一貫した方式でシールされる。詳細には、バックの幅を横切る平坦な全長シールが形成される。その上部シール内にはガゼットが何等無いので、再閉止自在造作の追加は可能である。
【０００８】
本発明の再閉止自在造作は、ジッパー型、ジッパー-スライダー・シール型、スナップ-ロック型の技術等々の任意の従来型再閉止機構であり得る。付加的には、本発明は、パッケージが形成されてシールされると共に該パッケージに所望の内容物を充填することを含む、再閉止自在な起立パッケージを形成する方法を提供する。
【０００９】
代替的には、ガゼットはそのパッケージの上部に形成され得る。
【００１０】
パッケージは数多くの形式で創作され得る。例えば、１つの形式はパッケージの上部に開口部を設けて、初期開口に先行してパッケージの完全性を維持すべくバックの内側に結着されたパッケージ・フィルムの追加片でその開口部を覆うことを含む。この開口部は、スリット、穿孔、パンチ開口、或は、その類等であり得る。この開口部は、バックの長手方向への引き裂きと云う何等かのパッケージ・フィルムの傾向を削減すべく強化され得る。
【００１１】
本発明の目的は、ガゼット折りされた起立パッケージを再閉止し且つその中の内容物を保持する効率的で且つ費用効果的な装置及び方法を提供することである。
【００１２】
本発明の別の目的は、パッケージの内容物が消費／除去されながら、起立機能を維持する能力を伴うパッケージを提供する。本発明のこれら特徴、目的、並びに、長所や更なる特徴、目的、並びに、長所は、図面と関連されて記載されたこの発明の例示的な実施例の以下の詳細な説明を参照してより明確となるであろう。
【００１３】
本発明の更なる目的及び長所は図面と連携された以下の詳細な説明を読むことによって判明され得る。
【発明を実施するための最良の形態】
【００１４】
本発明の詳細な説明
上述したように、本発明は起立するガゼット折りされた再閉止自在なパッケージとそれを製作する方法とに関する。この発明は数多くの様々な種類の包装機械に適用され得ると共に、他の処理設備及び操作に適用され得る。例えば、本発明は品物を保持し且つ含有するための製品或は他の容器を作り出すべく使用され得る。更に本発明は、広告を表示すべく自立物品に使用され得るか、或は、縦ピロー充填包装（ＶＦＦＳ）機械や横ピロー充填包装（ＨＦＦＳ）機械を用いて形成され得る。
【００１５】
図１乃至図９には、機械を用いて形成され得る起立するガゼット折りされた再閉止自在なバックが示されている。本発明は、図１０乃至図１２に示されるように、ＶＦＦＳ機械を用いて形成され得る。この起立プラスチック製バックは前壁、後壁、一対のガゼット折りされた側部、並びに、平坦な底壁又は底部（平底壁又は平底部）を有して、内部ボリュームを画成している。開いたバック口はこれら壁部の上方縁に画成されている。
【００１６】
前壁及び後壁は、その外側面上に素材の切れ目のない部分におけるヒートシール（溶封）によって一体的に結合される対向する長手方向縁を有し得て、それで、底壁によってバックの起立ベースを画成する連続的な自立構造としてシールの形成を完成する。
【００１７】
ガゼット折りされた側部は前壁、後壁、並びに、側部の間に延在する略平坦な底壁を形成すべく一体的に相互連結された部分を有する。また、側部は下方部部を有し得て、それが連続した素材部分における前方側部及び後方側部の下方部にシールによって結合され、底壁と接続すると共に該底壁下方に延在する支持バンドを形成する。例えばバックは、それが平底部又はベースを形成する点で、バックの側部上にガゼットを利用するベース・シールを有し得る。
【００１８】
これらの壁は多層フィルムで構成されている。このフィルムは好ましくはプラスチック製、例えば、ポリエチレン製であり、溶封が可能であり且つ同時押し出しされ得るか、或は、その何れか一方であり得る。しかしながら、任意のペーパ、熱可塑性、或は、その類の素材が利用され得ることが想定されている。例えば、様々な素材が使用されて、そのパッケージを電子レンジ、冷凍庫、並びに、冷蔵庫の中での使用が許容され得る。その最も通常の状況下、本発明の組み立ての方法はより大きな製造動作の１つの構成要素となって、ガゼット折りされた再閉止自在な起立するバックを生み出す。例えば、再閉止自在造作を伴う自立平底バックは、図１０乃至図１２に示されるように、ＶＦＦＳで自動的に形成され得る。
【００１９】
図１０において、縦ピロー充填包装機械を介しての本発明の形態の一実施例が示されている。この実施例において長手方向シールは、円形成形カラーを降下するフィルム・チューブを作り出す通常のＶＦＦＳ機械動作を通じて先ず形成される。このＶＦＦＳはバックフィルムを正確に１バック長だけ前進させて停止する。
【００２０】
シーリングバー(sealing bar)及び造作プレス(feature press)が同時に閉じて、バックの上部横方向シールが形成される。再閉止造作（即ち、イーズィ・スナップ、ジッパー、スライダー）がこの時に付与され得る。上部シール及び再閉止造作が形成されている一方で、鋸歯切断ナイフがフィルムを通って起動されて新しく形成されたバックをフィルム・チューブの末端から分離する。次いでこの切断ナイフは後退させられる。引き続いて、シーリングバー及び造作プレスが同時に開く。造作プレスはフィルムをつかみ続けて、適切な再閉止造作形成のためのドエル時間を増大し得る。フィルム・チューブの末端はその自然円形状まで緩む。
【００２１】
第２のシーリングバー及びガゼット折りフィンガーがフィルムに対して同時に閉じ、底に横方向シールを作り出すと共にバックの平坦起立形状を作り出す。２つの分離ガゼット折りフィンガーがバックの両側に位置決めされている。フィルム・チューブの内側における特別に設計された矩形成形チューブ結着物が平底形状の形成を補助する。バックのガゼット折り部の幅及び奥行はこの結着物のサイズによって形成される。
【００２２】
製品は、第２シーリングバー及びガゼット付けフィンガーが閉じるとすぐにバックとなって放り出され始めることが可能である。成形チューブ結着物、ガゼット折りフィンが、並びに、第２シーリングバーは、好ましくは、フィルムの底縁に機械的に整列されて、底シールがフィルムの縁に沿って正確に形成されることを保証する。これは、きちんとした外観を提供すべくバックから余剰なフィルムが取り除かれる必要がないことを保証する。更に余剰なフィルムは底シールの形成中に廃棄される必要がない。
【００２３】
図１１には、ＶＦＦＳ機械の代替実施例が示されている。この実施例は図１０の実施例の変形であり、フィルム・チューブがバックの形成中に第２度目の前進が為される。これはフィルムの底縁が、底横方向シール及び起立形状の形成に先行してシーリングバーに再整列されることを可能としている。この作用の長所は、第２シーリングバーとそれを起動する機構との必要性がないことである。
【００２４】
図１２には、ＶＦＦＳ機械の更なる代替実施例が示されている。この実施例は、図１０の実施例の別の代替例であり、フィルムがバックの形成中に逆行される。これはフィルムの底縁が、底横方向シール及び起立形状の形成に先行して第２シーリングバーに整列されることを可能としている。この作用の長所は、底フィルム縁がＶＦＦＳ機械コンピュータ制御を介して電子的に整列され得ることである。これは、第２シーリングバー、ガゼット折りフィンガー、並びに、成形チューブ結着物の機械的な整列を削減する。
【００２５】
留意すべきことは、図１０乃至図１２の実施例の動作シーケンスの他の変形が、今日の市場におけるＶＦＦＳの数多くの種々の設計及び機能に基づき想定されていることである。例えば、幾つかのＶＦＦＳ機械は連続動作対間欠動作によって動作する。この技術は本発明の作業にも適合可能であることが想定される。
【００２６】
更に、本発明は横ピロー充填包装の流れラッピング技術に適用されるべく適合され得る。これは、「起立小バック」形式のバックが形成される横ピローの縦充填包装市場とは区別されるべきである。
【００２７】
本発明のシールはシーリングバー、同様の装置、或は、同様の手続きを介して達成され得る。先に述べたようにシールは、例えば図２及び図３に示されるようにバックの後壁等のバックの一部に長手方向に沿って位置決めされる。シールはバックの平底部下方に延びる。図１乃至図３を参照のこと。
【００２８】
図４Ａ及び図４Ｂ、図５、並びに、図９に示されるように、バックの上部における開口部は、スリット、穿孔、或は、パンチ開口等の様々な形式であり得る。開口部を閉じるべく適用される本発明の再閉止自在な造作は任意の従来形式の再閉止機構で可能である。例えば、図１乃至図９に示されるように、ジッパー、スライダー、シール、ジップ-ロック（登録商標）若しくはその類、或は、スナップ-ロック技術（イーズィ・スナップ）が利用され得る。スナップ-ロック技術は、全てＦｏｒｍａｎによる下記の特許文献１乃至６に開示されており、引用することでここに合体させる。
【特許文献１】米国特許第６，３５０，０５７号
【特許文献２】米国特許第５，９８３，５９４号
【特許文献３】米国特許第５，９４４，４２５号
【特許文献４】米国特許第５，９３７，６１５号
【特許文献５】米国特許第５，９２８，７４９号
【特許文献６】米国特許第４，６７９，６９３号
【００２９】
更に開口部は強化され得て、バックの長手方向への引き裂きと云う何等かのパッケージ・フィルムの傾向を削減する。また、パッケージの外側を覆うことが可能であって、テープ片、ラベル、或は、その類等の様々な除去可能な素材でその開口部を保護或は閉じる。図１、図２、並びに、図４を参照のこと。代替的には、シールはバックの上部に使用され得て、バックの開口部を完全に覆うことができる。
【００３０】
本発明は今日使用されている既存のパッケージを凌ぐ幾つかの長所を有する。典型的な平底バックは上部シール及び底シールにガゼット折りされることが必要とされている。上部シールにガゼットを有することは、再閉止自在な造作の付加に大量の複雑性を追加する。フィルム多重層はシール内に折り込まれて、ジッパー或はスライダー機構等の通常の再閉止自在造作が使用されることを可能としない。本発明は再閉止自在な造作をガゼット折りされた起立バックに提供する。更に本発明は特別シーリング・ジョー(sealing jaw)やガゼット製造装置をパッケージの底にだけ利用することを要求する。結果として、製造時間、組み立て複雑性、並びに、コストは大きく低減される。
【００３１】
本発明がその精神或は中心属性から逸脱することなしに他の特定形態で実施され得ることを当業者は更に理解するであろう。その点、本発明の先行する記載はその例示的な実施例のみを開示しており、他の変形例等は本発明の範囲内に入るものと想定されることを理解すべきである。従って、本発明はここで詳細に説明された特定の実施例に限定されない。むしろ、本発明の範囲及び内容を示唆する特許請求の範囲を参照すべきである。
【図面の簡単な説明】
【００３２】
【図１】図１は、本発明の一実施例の斜視図である。
【図２】図２は、図１の実施例の側面図である。
【図３】図３は、図１の後方図である。
【図４】図４Ａは、開口されている最中のパッケージを伴う図１の実施例の斜視図である。図４Ｂは、開口されている最中のパッケージを伴う本発明の代替実施例の斜視図である。
【図５】図５は、開口状態にあるパッケージを伴う本発明の斜視図である。
【図６】図６は、閉止位置にあるパッケージを伴う本発明の斜視図である。
【図７】図７は、閉止位置にある図６の再閉止自在な機構の断面図である。
【図８】図８は、閉止位置にあって品物が詰まったパッケージを伴う本発明の斜視図である。
【図９】図９は、開口位置にあって品物が詰まったパッケージを伴う本発明の斜視図である。
【図１０】図１０は、縦ピロー充填包装機械を介しての本発明の形態の一実施例の概略図である。
【図１１】図１１は、本発明を形成すべく縦ピロー充填包装機械の代替実施例の概略図である。
【図１２】図１２は、本発明を形成すべく縦ピロー充填包装機械の更なる代替実施例の概略図である。
【図１】
2006511400.tif 000003
【図２】
2006511400.tif 000004
【図３】
2006511400.tif 000005
【図４Ａ】
2006511400.tif 000006
【図４Ｂ】
2006511400.tif 000007
【図５】
2006511400.tif 000008
【図６】
2006511400.tif 000009
【図７】
2006511400.tif 000010
【図８】
2006511400.tif 000011
【図９】
2006511400.tif 000012
【図１０】
2006511400.tif 000013
【図１１】
2006511400.tif 000014
【図１２】
2006511400.tif 000015
【手続補正書】
【提出日】平成17年4月11日(2005.4.11)
【手続補正１】
【補正対象書類名】特許請求の範囲
【補正対象項目名】全文
【補正方法】変更
【補正の内容】
【特許請求の範囲】
【請求項１】
起立プラスチック製バックであって、
（ａ）対向する前壁及び後壁であり、それぞれの壁が上方縁、下方縁、並びに、長手方向縁を有して、それらの壁が、それらの上部縁にバック開口部を画成し、該開口部が前記上方縁に沿って且つ前記長手方向縁の間の隔たりの略全てに沿って延在していることから成る対向する前壁及び後壁と、
（ｂ）前記長手方向縁に沿った前記対向する前壁及び後壁の間に配置された一対のガゼット折りされた側部であり、前記側部が、前記バックの下方部にガゼットを含む一方で該バックの上方部にガゼットを含まず、前記ガゼット折りされた下方部からガゼット折りされていない上方部まで平滑な推移を含むことから成る一対の側部と、
（ｃ）前記前壁、前記後壁、並びに、前記側部の下方部に隣接する平坦な底部であり、前記底部、前記前壁、前記後壁、並びに、前記側部が、前記バックが起立バック配向に順応するように構成されることから成る平坦な底部と、
（ｄ）前記前壁、前記後壁、前記側部、並びに、前記底部が前記バックの内部ボリュームを画成することと、
（ｅ）前記バックの開口部と近接して位置決めされた再閉止自在な装置であり、前記バックの開口部が選択的に開閉され得ることから成る再閉止自在な装置と、
を含む起立プラスチック製バック。
【請求項２】
前記前壁、前記後壁、前記側部、並びに、前記底部が熱可塑性素材の多層フィルムで構成されている、請求項１に記載の起立バック。
【請求項３】
前記底部が連続部で一体的に相互連結された前記前壁及び前記後壁の部分を有して、当該底部の表面下方に延在するシールを形成する、請求項１に記載の起立バック。
【請求項４】
前記前壁及び前記後壁が、その連続部に形成された長尺状シールによって一体的に結合された対向する長手方向縁を有する、請求項１に記載の起立バック。
【請求項５】
前記再閉止自在な装置がジッパー・ロックである、請求項１に記載の起立バック。
【請求項６】
前記再閉止自在な装置がスライダーである、請求項１に記載の起立バック。
【請求項７】
前記再閉止自在な装置がスナップ-ロック機構である、請求項１に記載の起立バック。
【請求項８】
再閉止自在な起立バックであって、
上部及び底部を有する略チューブ状パッケージ・ボディを形成する連続的な可撓性素材と、
前記パッケージの前記底部を閉止して一対の側部にガゼットを作り出するガッゼット・シールであり、その形成されたガゼットが前記パッケージに対する起立ベースの作製を許容していることから成るガゼット・シールと、
前記パッケージ・ボディの前記上部における再閉止自在な上方シールであり、該シールは前記チューブ状ボディを折り畳むことによって形成されて第１側部及び第２側部を作り出し、前記上方シールは前記第１及び第２側部を略完全に横切って延在するが前記上部にガゼットを作り出さないことから成る再閉止自在な上方シールと、
を含む再閉止自在な起立パッケージ。
【請求項９】
前記上方部に追加シールを更に含む、請求項８に記載の再閉止自在なバック。
【請求項１０】
自立再閉止自在パッケージを形成する方法であって、
供給ウェブを提供し、
対向された前壁及び後壁を形成し、各壁が上方縁、下方縁、並びに、長手方向縁を有して、それらの壁が上方縁にパッケージ開口部を画成するように為し、
前記前壁及び前記後壁の間に一対の側部を形成し、それら側部が当該側部の下方部に位置決めされたガゼットを含むが、それらの上方部にはガゼットが何等存在せず、前記側部が前記ガゼットを有する前記下方部とガゼット無しの前記上方部との間に連続的な平滑推移を含み、
前記前壁、前記後壁、並びに、前記側部の下方部に隣接して平坦な底部を形成し、前記底部、前記前壁、並びに、前記後壁が、前記側部が、前記パッケージが起立配向に順応するように構成され、前記前壁、前記後壁、前記側部、並びに、前記底部が前記パッケージの内部ボリュームを画成し、
前記パッケージの選択的な開閉のために前記パッケージの開口部に近接して再閉止自在な装置を結着し、その再閉止自在な装置が前記パッケージの略全幅を延在し、
製品を包囲するパッケージ・ボディを備える可撓性パッケージが形成されることから成る方法。
【請求項１１】
前記前壁及び前記後壁が連続部で一体的に相互接続された所にベース・シールを形成することを更に含み、前記ベース・シールを形成する際、前記ガゼットが前記側部に形成される、請求項１０に記載の方法。
【請求項１２】
縦ピロー充填システムを用いて前記バックを形成することを更に含む、請求項１０に記載の方法。
【請求項１３】
品物を含有して再閉止自在な開口部を有する製造済み自立パッケージであって、ウェブで製造されたそのパッケージが、
供給ウェブを提供し、
前記供給ウェブで形成された前記パッケージ内に品物を配置する包装機構を提供し、
対向する前壁及び後壁を形成し、各壁が上方縁、下方縁、並びに、長手方向縁を有して、それらの壁が上方縁にパッケージ開口部を画成するように為し、
前記前壁及び前記後壁の間に一対の側部を形成し、前記側部がその下方部に位置決めされたガゼットを含むが、その上方部では寸法が欠如しており、そして前記側部が前記ガゼット折りされた下方部から前記寸法欠如上方部まで平滑な推移を為し、
前記前壁、前記後壁、並びに、前記側部の下方部に隣接して平坦な底部を形成し、前記底部、前記前壁、並びに、前記後壁が、前記側部が、前記パッケージが起立配向に順応するように構成され、前記前壁、前記後壁、前記側部、並びに、前記底部が前記パッケージの内部ボリュームを画成し、
ガゼットが前記パッケージの前記上方部に何等必要とされないように再閉止自在な装置を前記パッケージの開口部に近接して結着し、
前記パッケージの内部ボリュームに品物を充填することで形成され、
品物を包囲するパッケージ・ボディを備える可撓性パッケージが形成されることから成る製造済み自立パッケージ。
【請求項１４】
前記包装機構が縦ピロー充填システムである、請求項１３に記載の製造済み自立パッケージ。
【請求項１５】
前記パッケージの前記底部に沿ってシールを形成し、前記前壁及び前記後壁の部分が連続部において相互接続されて、前記底部の表面下方に延在するシールを形成し、
前記前壁及び前記後壁の対向する長手方向縁に沿ってシールを形成し、前記長尺状シールが連続部に形成されて、前記後壁に沿って長手方向に走っている、請求項１３に記載の製造済み自立パッケージ。
【請求項１６】
前記パッケージの前記開口部を覆って前記品物を包囲することを更に含む、請求項１５に記載の製造済み自立パッケージ。
【請求項１７】
起立プラスチック製バックであって、
（ａ）対向する前壁及び後壁であり、それぞれの壁が上方縁、下方縁、並びに、長手方向縁を有して、それらの壁が、それらの上部縁にバック開口部を画成することから成る対向する前壁及び後壁と、
（ｂ）前記対向する前壁及び後壁の間に配置された一対のガゼット折りされた側部であり、前記長手方向縁に沿って走って、そのガゼットがそれら側部の下方部に位置決めされ、前記側部の前記上方部が実質的に寸法が欠如しており、そして前記側部が前記ガゼット折りされた下方部と前記寸法欠如上方部との間に連続的な平滑推移を含み、
（ｃ）前記前壁、前記後壁、並びに、前記側部の下方部に隣接する平坦な底部であり、前記底部、前記前壁、前記後壁、並びに、前記側部が、前記バックが起立バック配向に順応するように構成されることから成る平坦な底部と、
（ｄ）前記前壁、前記後壁、前記側部、並びに、前記底部が前記バックの内部ボリュームを画成することと、
を含む起立プラスチック製バック。
【請求項１８】
前記底部が連続部で一体的に相互連結された前記前壁及び前記後壁の部分を有して、当該底部の表面下方に延在するシールを形成する、請求項１７に記載の起立バック。
【請求項１９】
自立再閉止自在パッケージを形成する方法であって、
供給ウェブを提供し、
対向された前壁及び後壁を形成し、各壁が上方縁、下方縁、並びに、長手方向縁を有して、それらの壁が上方縁にパッケージ開口部を画成するように為し、
前記前壁及び前記後壁の間に一対のガゼット折りされた側部を形成し、該ガゼットが前記側部の下方部に位置決めされ、前記側部がその上方部で実質的に寸法が欠如しており、そして前記側部が前記ガゼット折りされた下方部と前記寸法欠如上方部との間に連続的な平滑推移を含み、
前記前壁、前記後壁、並びに、前記側部の下方部に隣接して平坦な底部を形成し、前記底部、前記前壁、並びに、前記後壁が、前記側部が、前記パッケージが起立配向に順応するように構成され、前記前壁、前記後壁、前記側部、並びに、前記底部が前記パッケージの内部ボリュームを画成し、
前記前壁及び前記後壁が連続部で一体的に相互接続されている所にベース・シールを形成して、前記ガゼットが前記ベース・シールを形成している際に前記側部に形成されるように為し、
品物を包囲するパッケージ・ボディを備える可撓性パッケージが形成されることから成る方法。
【請求項２０】
縦ピロー充填システムを用いて前記バックを形成することを更に含む、請求項１９に記載の方法。
【国際調査報告】
2006511400.tif 000016
2006511400.tif 000017